(57)【要約】【課題】  音声データ処理装置において、簡易かつ安価な構成にて、データ出力の拡張性を確保する。【解決手段】  複数の音源各々から、ＡＥＳ／ＥＢＵフォーマット音声データを、Ｄ／Ｄコンバータ７を介して受信し、ＰＣＭフォーマット音声データに変換する。ＰＣＭフォーマット音声データを入力バッファ１ａ、入力メッセージキュー１ｂに蓄積し、  出力音声編集情報に基づいて音声データ加工・合成部１ｃにて加工及び合成した後、出力部１ｆを介して出力する。出力部１ｆにはシリアル線４０を介して、ＭＡＤＩユニット３０が装着される。【選択図】  図１０
2006140909.tif 000002
【特許請求の範囲】
【請求項１】
複数の音源各々から、ＡＥＳ／ＥＢＵフォーマット音声データを受信する音声データ受信部と、
受信された前記ＡＥＳ／ＥＢＵフォーマット音声データを、ＰＣＭフォーマット音声データに変換する第１の音声データ変換部と、
前記ＰＣＭフォーマット音声データを蓄積する第１の蓄積部と、
前記第１の蓄積部に蓄積された、前記各音源に対応するＰＣＭフォーマット音声データを、出力音声編集情報に基づいて加工及び合成する音声データ加工合成部と、
前記加工及び合成されたＰＣＭフォーマット音声データを、ＭＡＤＩ規格方式にて出力する出力部と、を備える音声データ処理装置。
【請求項２】
請求項１記載の音声データ処理装置であって、
前記第１の蓄積部が、前記各音源に対応した複数の仮想的なトラックを含み、
前記各音源のＰＣＭフォーマット音声データが、対応する前記トラックに展開される、音声データ処理装置。
【請求項３】
請求項２記載の音声データ処理装置であって、
前記各トラックがキューより構成される、音声データ処理装置。
【請求項４】
請求項２又は３記載の音声データ処理装置であって、
前記第１の蓄積部が、前記トラックへの前記ＰＣＭフォーマット音声データの展開の前に、前記ＰＣＭフォーマット音声データを一時的に蓄積するバッファを備える、音声データ処理装置。
【請求項５】
請求項１ないし４のいずれか１項記載の音声データ処理装置であって、
前記加工及び合成されたＰＣＭフォーマット音声データを蓄積した後、前記出力部へ出力する第２の蓄積部を更に備える、音声データ処理装置
【請求項６】
請求項１ないし５のいずれか１項記載の音声データ処理装置であって、
前記出力部より出力された前記ＰＣＭフォーマット音声データを、ＡＥＳ／ＥＢＵフォーマット音声データに変換する第２の音声データ変換部を更に備える、音声データ処理装置。
【請求項７】
請求項１ないし６のいずれか１項記載の音声データ処理装置であって、
前記音声データ受信部と前記第１の音声データ変換部から独立して、前記ＰＣＭフォーマット音声データを蓄積し、再生する再生出力部を更に含む、音声データ処理装置。
【請求項８】
請求項１ないし７のいずれか１項記載の音声データ処理装置であって、
前記出力音声編集情報は、各音源のＰＣＭフォーマット音声データに対する乗算情報と、全音源のＰＣＭフォーマット音声データの加算情報を含む、音声データ処理装置。
【請求項９】
請求項１ないし８のいずれか１項記載の音声データ処理装置であって、
前記出力部が、音声データ処理装置の本体内に組み込まれたＭＡＤＩインターフェースと、前記本体とは別に構成されたＭＡＤＩユニットとを備える、音声データ処理装置。
【発明の詳細な説明】
【技術分野】
【０００１】
本発明は、ラジオ放送局、テレビ放送局等の放送局において、デジタル音声データの制御及び処理に使用される音声データ処理装置に関する。
【背景技術】
【０００２】
近年、放送局におけるマスター設備においては、伝送特性、管理効率等の観点から、デジタル化が進められている。このような傾向の中、マスター設備中の音声データ処理装置は、デジタル音声信号制御の効率的な処理を実施するため、その改良が進められている。
【０００３】
図１２に、音声データ処理装置としてのラジオマスター設備の全体概念図を示す。ラジオマスター設備は、音声切換部と再生出力部という各々の装置ユニットに分離されている。また、図１３には、図１２のラジオマスター設備における音声データの処理手順が、概念的に示されている。
【０００４】
一般的に、再生出力部には、内部又は外部の種々の音源から、デジタルフォーマットの一つであるＰＣＭ（Pulse Code Modulation）に準じた音声データが入力される。一方、放送用のデジタルオーディオ信号の伝送規格はＡＥＳ（Audio Engineering Society）及びＥＢＵ（ヨーロッパ放送連合：European Broadcast Union）によって定められたＡＥＳ／ＥＢＵフォーマットに統一されている。このため、ラジオマスター設備は、一般的にＡＥＳ／ＥＢＵフォーマットの入出力データに対応するよう構成されている。従って、音声切換部において使用されるデジタルデータフォーマットも、ＡＥＳ／ＥＢＵフォーマットである。そこで、図１２、図１３に示すように、再生出力部のＰＣＭフォーマットデータを、ＡＥＳ／ＥＢＵフォーマットデータに変換するためのコンバータが使用される。また、ＡＥＳ／ＥＢＵフォーマットデータへの変換、ＡＥＳ／ＥＢＵフォーマットデータの加工（例えば音量制御）は、ＤＳＰ（Digital Signal Processor）等、高速デジタル信号処理を行うデバイスが使用される。
【０００５】
また、図１４に示すように、音声切換部におけるプログラムスイッチャーは、種々の音源から取得される入力音声データを切替えるマトリックススイッチャーを使用している。  マトリックス構造において、出力側へ出力される音声データをオン・オフ制御することにより出力するべき入力音声データを選択し、ミキシング回路にて各入力音声データのフェーダー制御を行うと共に、入力データを合成することにより、最終的な出力音声が得られる。
【０００６】
【特許文献１】特開平５−０４８５５１号公報
【特許文献２】特開平９−１８１９６８号公報
【発明の開示】
【発明が解決しようとする課題】
【０００７】
上述のラジオマスター設備では、音声データの出力（出力ポート）の列数は、マトリックススイッチャーを備える音声切換部が配置されるスイッチャー棚の設計に関連している。出力ポートの列数の増減は、音声切換部の物理的なサイズの増減につながり、スイッチャー棚のサイズと密接に関連するからである。また、接続される外部機器との整合性を考慮するため、音声切換部の出力列で使用されるコンバータの種別（Ｄ／Ａコンバータ又はＤ／Ｄコンバータ）を明確にする必要がある。
【０００８】
上述の状況の下では、音声データ出力ポートの増設の必要性が生じた場合、スイッチャー棚を改造してその物理的なサイズを変更する必要が生ずる。しかしながら、既存のスイッチャー棚を改造して、サイズを変更することは困難であり、結果的に出力ポートの増設を行うことが難しくなる。
【０００９】
また、出力種別（出力チャンネル）の拡張を予め考慮し、余分の出力ポートを予め音声切換部に設けておくことも考えられる。しかしながら、将来の拡張時に接続される外部機器の種別を予測することは困難であるため、音声切換部の設計段階で、余分の出力ポートに使用するコンバータの種別をＡＤとＤＤの両方に対応させる必要が生ずることとなる。
【００１０】
本発明は、出力の拡張を容易に行うことができる音声データ処理装置を提供する。
【課題を解決するための手段】
【００１１】
本発明の音声データ処理装置は、複数の音源各々から、ＡＥＳ／ＥＢＵフォーマット音声データを受信する音声データ受信部と、受信されたＡＥＳ／ＥＢＵフォーマット音声データを、ＰＣＭフォーマット音声データに変換する第１の音声データ変換部と、ＰＣＭフォーマット音声データを蓄積する第１の蓄積部と、第１の蓄積部に蓄積された、前記各音源に対応するＰＣＭフォーマット音声データを、出力音声編集情報に基づいて加工及び合成する音声データ加工合成部と、加工及び合成されたＰＣＭフォーマット音声データを、ＭＡＤＩ規格方式にて出力する出力部とを備える。
【００１２】
第１の蓄積部が、各音源に対応した複数の仮想的なトラックを含み、各音源のＰＣＭフォーマット音声データが、対応する前記トラックに展開されるよう、音声データ処理装置を構成することができる。各トラックをキューより構成することができる。
【００１３】
さらに第１の蓄積部に、トラックへのＰＣＭフォーマット音声データの展開の前に、ＰＣＭフォーマット音声データを一時的に蓄積するバッファを設けることもできる。
【００１４】
また、加工及び合成されたＰＣＭフォーマット音声データを蓄積した後、出力部へ出力する第２の蓄積部を更に設けることもできる。
【００１５】
また、出力部より出力されたＰＣＭフォーマット音声データを、ＡＥＳ／ＥＢＵフォーマット音声データに変換する第２の音声データ変換部を更に設けることもできる。
【００１６】
また、音声データ受信部と第１の音声データ変換部から独立して、ＰＣＭフォーマット音声データを蓄積し、再生する再生出力部を更に設けることもできる。
【００１７】
出力音声編集情報には、各音源のＰＣＭフォーマット音声データに対する乗算情報と、全音源のＰＣＭフォーマット音声データの加算情報を含ませることができる。
【００１８】
また、出力部を、音声データ処理装置の本体内に組み込まれたＭＡＤＩインターフェースと、本体とは別に構成されたＭＡＤＩユニットよりなる構成とすることができる。
【発明の効果】
【００１９】
本発明の音声データ処理装置によれば、簡易かつ安価な構成にて、出力の拡張性が確保される。
【発明を実施するための最良の形態】
【００２０】
以下、本発明の実施の形態を、図面を参照して説明する。図１は、本発明の音声データ処理装置の構成及び当該装置と他の機器、設備との接続関係を示すブロック図である。
【００２１】
音声データ処理装置１００は、ラジオ放送局に設置され、時間帯に応じた種々の番組、番組を構成する音声要素（楽曲、トーク等）を提供する設備である。音声データ処理装置１００は、デジタルスイッチャー１と、再生出力部３と、音声切換制御部５とを備えている。更に、音声データ処理装置１００は、デジタルスイッチャー１に接続されるＤ／Ｄコンバータ７、Ａ／Ｄコンバータ１１、Ｄ／Ｄコンバータ１５及びＤ／Ａコンバータ２１をも含む。
【００２２】
音声データ処理装置１００は、Ｄ／Ｄコンバータ７を介して、ＤＡＦ（デジタルオーディオファイル）９ａ、デジタルオーディオテープレコーダー（ＤＡＴ）９ｂ、ＭＯ（光磁気ディスク）９ｃ、ＭＯ９ｄ等の各種デジタル音源（音声素材）に接続されている。これらデジタル音源からのＡＥＳ／ＥＢＵフォーマットのデジタル音声データは、Ｄ／Ｄコンバータ７によって、所定の周波数変換とともにＡＥＳ／ＥＢＵフォーマットからＰＣＭフォーマットへの変換がなされた上で、音声データ処理装置１００に送られる。Ｄ／Ｄコンバータ７は、ＡＥＳ／ＥＢＵフォーマット音声データを受信する音声データ受信部と、受信されたＡＥＳ／ＥＢＵフォーマット音声データを、ＰＣＭフォーマット音声データに変換する第１の音声データ変換部を構成する。もちろん、Ｄ／Ｄコンバータ７から音声データ受信機能を切り離し、別途音声データ受信部を設けることも可能である。
【００２３】
また、音声データ処理装置１００は、Ａ／Ｄコンバータ１１を介して、スタジオ１３ａ、スタジオ１３ｂ、テープレコーダー１３ｃ、テープレコーダー１３ｄ等の各種アナログ音源（音声素材）に接続されている。これらアナログ音源からのアナログ音声データは、Ａ／Ｄコンバータ１１によって、ＰＣＭフォーマット形式を有する所定のデジタル音声データに変換された上で、音声データ処理装置１００に送られる。これら各音源は、上述の番組、音声要素を提供するものである。
【００２４】
上述の様に、音声データ処理装置１００に入力されたデジタル音声データは、後述する処理を施された後、Ｄ／Ｄコンバータ１５及びＤ／Ａコンバータ２１に送られる。Ｄ／Ｄコンバータ１５に出力されたデジタル音声データは、所定の周波数変換とともにＰＣＭフォーマットからＡＥＳ／ＥＢＵフォーマットへの変換がなされた上で、通常用いられる送信機１７に出力され、送信用アンテナ１９により他の受信局に送信される。Ｄ／Ｄコンバータ１５は、ＰＣＭフォーマット音声データを、ＡＥＳ／ＥＢＵフォーマット音声データに変換する第２の音声データ変換部を構成する。また、Ｄ／Ａコンバータ２１に出力されたデジタル音声データは、アナログ音声データに変換され、他のスタジオ２３ａ，２３ｂ，２３ｃに送られる。
【００２５】
尚、音声データ処理装置１００に接続される入力側の音源の種類や数は限定されない。  また、音声データ処理装置１００に接続される出力側の放送局、スタジオ等の出力先の種類や数も限定はされない。
【００２６】
次に、音声データ処理装置１００を構成するデジタルスイッチャー１、再生出力部３、音声切換制御部５各々について説明する。
【００２７】
デジタルスイッチャー１は、上述の如き入力側のスタジオ音源、テープレコーダー等の複数の入力音源（音声素材）から、時間帯に応じて適切な音源を選択し、出力側に送る音源を決定するものである。音源の選択、決定は２４時間連続して自動的に行うことが可能であるが、放送に応じて種々の態様が考えられる。デジタルスイッチャー１は、ラジオ放送の自動番組送出装置、自動運行装置的な役割を果たし、ＡＰＣ（Auto Program Controller）、ＡＰＳ（Auto Program System）等の名称で呼ばれることがある。デジタルスイッチャー１の機能については後に詳述する。
【００２８】
再生出力部３は、音源の一つとみなすことができ、音声データをＰＣＭフォーマット形式で蓄積するものである。要するに、再生出力部３は、音声データ受信部及び第１の音声データ変換部であるＤ／Ｄコンバータ７から独立して、ＰＣＭフォーマット音声データを蓄積し再生する。しかしながら、Ｄ／Ｄコンバータ７、Ａ／Ｄコンバータ１１を介して入力されたＰＣＭフォーマット音声データを蓄積することもできる。再生出力部３は、ＤＡＦ（Digital Audio File）と呼ばれることがある。
【００２９】
尚、図１において、再生出力部３はデジタルスイッチャー１の一部として記載されているが、本発明はこのような構成に限定されず、デジタルスイッチャー１と再生出力部３を、別々に構成することも可能である。また、デジタルスイッチャー１と再生出力部３をあわせたものを、ＡＣＣ（Audio Control Center）と呼ぶことがある。
【００３０】
音声切換制御部５は、スタジオ内の操作卓等外部機器からのユーザーによる設定や、予め蓄積されたプログラムを受けて、デジタルスイッチャー１、再生出力部３を制御するものである。音声切換制御部５は、通常使用される汎用のＣＰＵで構成され得る。音声切換制御部５は、ＤＣＣ（Data Control Center）と呼ばれることがある。音声切換制御部５の機能についても後に詳述する。
【００３１】
図２は、本発明下のデジタル音声データの処理手順全体を概念的に示している。本発明の音声データ処理装置１００においては、入力音声データは総てＰＣＭフォーマットで統一された上で、スイッチング処理、フェーダー制御が行われる。上述したように、放送機器等から入力される音声データは、一般的に、放送業界で規格化された放送用音声データフォーマット（本説明ではＡＥＳ／ＥＢＵ）を有している。このようなフォーマットを有する入力音声データは、Ｄ／Ｄコンバータ又はＡ／Ｄコンバータを用いてＰＣＭフォーマット音声データに変換され、プログラムスイッチャー（デジタルスイッチャー１）に常時（ストリーム的に）入力される。また、別途内部に保存された音声素材（再生出力部３）はＰＣＭフォーマットの形式で保存されており、プログラムスイッチャーに常時（ストリーム的に）入力される。プログラムスイッチャーに入力された複数のＰＣＭフォーマット音声データは、ＣＰＵ（音声切換制御部５）によるソフト的な制御の下、プログラムスイッチャーにて各々その音量（フェーダー）が変更され、合成された上で外部に出力される。
【００３２】
一方、図１０〜図１２に示した従来の処理下では、放送用音声データフォーマット（ＡＥＳ／ＥＢＵ）を有する音声データが外部の放送機器等から入力され、そのままプログラムスイッチャー（マトリックススイッチャー）に入力される。また、別途ＰＣＭフォーマットの形式で内部に保存された音声素材は、同じフォーマット（ＡＥＳ／ＥＢＵ）に変換された上で、プログラムスイッチャーに入力される。そして、プログラムスイッチャーに入力された複数のＡＥＳ／ＥＢＵフォーマット音声データは、ＤＳＰの制御下、図１２に示したように、ハード処理的なマトリックススイッチのオン・オフ切換により、各々の音源の取捨選択が行われ、合成された上で外部に出力される。
【００３３】
ＡＥＳ／ＥＢＵフォーマット音声データの如き放送用音声データフォーマットのデータは、実体的な音声データ以外の種々の付加情報を含んだ、付加情報付き音声データである。付加情報とは、実体的音声データの性質を表わす情報や、データ送信時に必要とされる情報等、実質的に音声に対応した音声データ以外の総ての情報を含み得る（例：同期プリアンブル、オキジャリ、パリティフラグ、ユーザーズデータ、チャンネルステータス、パリティ等）。すなわち、処理対象の音声データは、純粋な音声データのみならず他のデータをも含んでおり、一連の連続的な音声データとして構成されていない。このようなデータをソフト的に処理することは不可能であり、従来技術ではハードウェアであるマトリックススイッチャーが必要であった。そして、マトリックススイッチャーの導入に伴い、先述したノイズ発生、シームレスな音源切換の実現困難等の問題が生じていた。
【００３４】
しかし、本発明の音声データ処理装置では、上述したように音声データが、ＰＣＭフォーマットデータに統一された状態で、データ処理が行われる。ＰＣＭフォーマットデータは、ＡＥＳ／ＥＢＵフォーマットのデータのような付加情報を含まない処理用音声データであり、実質的な音声データのみで構成されている。いいかえると、本発明では、ＡＥＳ／ＥＢＵフォーマットデータから付加情報を取り除く処理が行われた上で、データ処理が行われる。このようなフォーマットデータに対してはソフト的に音源切換処理、フェーダー調整をすることが可能となり、マトリックススイッチを別途用いる必要がなくなる。この結果、機械的なマトリックススイッチのオン・オフに不可避的に伴うノイズを防止するとともに、途切れのない（シームレスな）入力音声切換を行うことが可能となる。また、音源切換処理、フェーダー調整を単一の音声切換制御部５（ＣＰＵ）で行うことにより、制御の遅延時間を短縮することが可能となる。従来のＤＳＰでは、複数音声の切換はＤＳＰでは処理することができない。
【００３５】
次に、本発明の装置内部の具体的なデータ処理方法を説明する。本発明においては、仮想トラック選択方式という、各音源に対応させられて定義される仮想上のトラックを使用してＰＣＭフォーマットの入力音声データを処理する。図３は、Ｄ／Ｄコンバータ７、Ａ／Ｄコンバータ１１、再生出力部３からのＰＣＭフォーマットの入力音声データを、仮想トラックへ展開する状態を概念的に示したものである。各音源に対応した入力音声データの総てを、常時ソフトウェアの処理で各仮想トラックに展開した後、音声切換制御部５の制御信号に応じて仮想トラックを選択することで、入力音声データを選択する。図３の例では、トラック１〜８の８個のトラックに常時音声データが入力されているが、選択制御においてトラック１とトラック４の音声データのみが選択されている。
【００３６】
図４は、仮想トラックに展開された入力音声データを合成する状態を概念的に示したものである。本発明においては、図のトラックイメージの様に、ＰＣＭフォーマット音声データが、所定単位のブロックＤＢ（データセグメント）毎に各トラックを常時流れている。このような仮想トラック選択方式では、音声切換制御とフェーダー調整を同時に実現するため、入力音声データを瞬時に切換えることができる。また、ノイズ対策のために音声切換制御とフェーダー制御の制御タイミングで整合性を考慮する必要がなくなることとなる。
【００３７】
図４の例では、選択された仮想トラック１，２の音声データが、各々加工され（フェーダー制御、音量制御に相当）、合成される。一方、選択されていない仮想トラック３の音声データは読み捨てることとなる（後述のフェーダー係数が０）。各トラックのデータは送信された順序に従って、所定単位のブロックＤＢ毎に順次展開処理されている。ここでは、後述するように、キューを利用したＦＩＦＯ（First In First Out）的な処理が音声データに対して施されている。
【００３８】
上述のような処理を実現するためのデジタルスイッチャー１の構成例を、図５に示す。  デジタルスイッチャー１は、入力バッファ１ａ、入力メッセージキュー１ｂ、音声データ加工・合成処理部１ｃ、出力メッセージキュー１ｄ、出力バッファ１ｅ、出力部１ｆを備える。入力バッファ１ａ、入力メッセージキュー１ｂは、第１の蓄積部を構成し、出力メッセージキュー１ｄ、出力バッファ１ｅは第２の蓄積部を構成するが、出力メッセージキュー１ｄ、出力バッファ１ｅは省略することが可能である。各構成部分は通常用いられる各種のプロセッサ、メモリ等によって実現され、音声切換制御部５からの種々の指令、情報（後述の出力音声編集情報を含む）により、所定のプログラムに従って制御される。
【００３９】
音声切換制御部５によって制御されるデジタルスイッチャー１の動作を、上述の図５及び図６〜図８を用いて説明する。図６は、音声データ割り込み入力時に実施される音声データ割り込み処理の手順を示す処理フローである。音声データ割り込み処理は、入力音声データ取得処理（ステップＳ１００）、音声データ加工及び合成処理（ステップＳ２００）、出力音声データ設定処理（ステップＳ３００）、の順に従って行われる。
【００４０】
図７は、入力音声データ取得処理（図６；ステップＳ１００）の詳細な処理手順を示す処理フローである（図３、４のトラックイメージへの展開処理の前半に該当）。まず、Ｄ／Ｄコンバータ７、Ａ／Ｄコンバータ１１、再生出力部３から、入力バッファ１ａへの音声データの書き込みがなされ、音声データが入力バッファに一時的に蓄積される。この蓄積を音声データの割り込み入力として、入力音声チャンネル用インデックスの初期化が行われ（ステップＳ１１０）、次に総ての入力音声チャンネルの音声データ取得が完了したか否かが判断される（ステップＳ１２０）。総ての入力音声チャンネルの初期化が完了していないと判断された場合は（ステップＳ１２０；Ｎｏ）、入力バッファ１ａから音声データを取得し（ステップＳ１３０）、音声データを入力メッセージキュー１ｂの対応するトラックへ展開し、格納する（ステップＳ１４０）。ここで、「音声チャンネル」とは物理的な入力元又は出力先のことをいう。一方、上述の「トラック」とは、音声データの蓄積イメージをいう。従って、入力チャンネル、トラック、出力チャンネルの如き流れで音声データは処理される。
【００４１】
そして、入力音声チャンネル用インデックスの更新を行い（ステップＳ１５０）、ステップＳ１２０に戻って、総ての入力音声チャンネルの初期化が完了したか否かが再び判断される（ステップＳ１２０）。総ての入力音声チャンネルの初期化が完了したと判断された場合は（ステップＳ１２０；Ｙｅｓ）、入力音声データ取得処理の終了となる。総ての入力音声チャンネルの初期化が完了していないと判断された場合は（ステップＳ１２０；Ｎｏ）、再びステップＳ１３０〜ステップＳ１５０の処理を行う。
【００４２】
図８は、音声データ加工及び合成処理（図６；ステップＳ２００）の詳細な処理手順を示す処理フローである（図３、４のトラックイメージへの展開処理の中盤に該当）。まず、入力メッセージキュー１ｂへの音声データの格納が検知されると、出力音声チャンネル用インデックスの初期化が行われ（ステップＳ２１０）、次に総ての出力音声チャンネルの音声データ取得が完了したか否かが判断される（ステップＳ２２０）。総ての出力音声チャンネルの初期化が完了していないと判断された場合は（ステップＳ２２０；Ｎｏ）、音声データ加工・合成部１ｃは、音声切換制御部５から出力音声編集情報（スタジオ内に設置された操作卓等によるユーザーの設定入力や、予めプログラムされた設定に基づいて生成された情報等）を取得し（ステップＳ２３０）、さらに入力メッセージキュー１ｂから音声データを取得する（ステップＳ２４０）。そして、入力音声データを加工・合成して（ステップＳ２５０）、加工・合成された音声データを出力メッセージキュー１ｄへ格納する（ステップＳ２６０）。
【００４３】
上述のステップにおいて、前述の出力音声編集情報に含まれている各音源の音量情報を参照して、各音源のフェーダー制御（音量制御）が行われる。加工は音声データに対する所定係数の乗算により実現され、合成は全音声データ（全音源からの音声データ）の加算により実現される。上述の所定係数が、各音源のフェーダー（音量）に対応する場合、音声データにフェーダー係数が乗算されることとなる。ある音源のデータが選択されない場合は、当該音源の音声データのフェーダー係数が０となり、図４の仮想トラック３のように読み捨てられることとなる。全音声データの加算とは、このようなフェーダー係数０の音声データが存在する場合も含まれる。結局、フェーダー係数を０にすることは、音声切換制御を実行することに等しくなり、音声切換制御とフェーダー制御が同時に行われることになる。
【００４４】
そして、出力音声チャンネル用インデックスの更新を行い（ステップＳ２７０）、ステップＳ２２０に戻って、総ての出力音声チャンネルの初期化が完了したか否かが再び判断される（ステップＳ２２０）。総ての出力音声チャンネルの初期化が完了したと判断された場合は（ステップＳ２２０；Ｙｅｓ）、音声データ加工及び合成処理の終了となる。総ての出力音声チャンネルの初期化が完了していないと判断された場合は（ステップＳ２２０；Ｎｏ）、再びステップＳ２３０〜ステップＳ２７０の処理を行う。
【００４５】
図９は、出力音声データ設定処理（図６；ステップＳ３００）の詳細な処理手順を示す処理フローである（図３、４のトラックイメージへの展開処理の後半に該当）。まず、出力メッセージキュー１ｄへの音声データの格納が検知されると、出力音声チャンネル用インデックスの初期化が行われ（ステップＳ３１０）、総ての出力音声チャンネルの音声データ取得が完了したか否かが判断される（ステップＳ３２０）。総ての出力音声チャンネルの初期化が完了していないと判断された場合は（ステップＳ３２０；Ｎｏ）、出力メッセージキュー１ｄから音声データを取得し（ステップＳ３３０）、音声データを出力バッファへ設定する（ステップＳ３４０）。
【００４６】
そして、出力音声チャンネル用インデックスの更新を行い（ステップＳ３５０）、ステップＳ３２０に戻って、総ての出力音声チャンネルの初期化が完了したか否かが再び判断される（ステップＳ３２０）。総ての出力音声チャンネルの初期化が完了したと判断された場合は（ステップＳ３２０；Ｙｅｓ）、出力音声データ設定処理の終了となる。総ての出力音声チャンネルの初期化が完了していないと判断された場合は（ステップＳ３２０；Ｎｏ）、再びステップＳ３３０〜ステップＳ３５０の処理を行う。
【００４７】
このようにして出力バッファ１ｅに設定された出力音声データは、所定のタイミングで出力部１ｆに送られ、最終的な出力音声データが出力される。
【００４８】
出力部１ｆから出力されたＰＣＭフォーマット音声データは、Ｄ／Ｄコンバータ１５、Ｄ／Ａコンバータ２１にてＡＥＳ／ＥＢＵフォーマット又はアナログへの変換が施され、出力先へ送信される。
【００４９】
さらに、本実施形態では出力部１ｆに対し、ＭＡＤＩ（Multichannel Audio Digital Interface）規格を採用し、ＭＡＤＩ規格方式にて、ＰＣＭフォーマット音声データを  出力する構成を採用している。ＭＡＤＩ規格は、ＡＥＳが１９９１年に定義した最大５６チャンネル入出力のＭＡＤＩ（ＡＥＳ１０−１９９１）と２００１年に定義した最大６４チャンネル入出力のＭＡＤＩ−Ｘ（ＭＡＤＩ−Ｅｘｔｅｎｄｅｄ）フォーマットの総称である。コアキシャルケーブル(同軸ケーブル)又はオプティカルケーブル(光ケーブル)１本で、５０チャンネルを越える放送情報、オーディオ情報を１度に伝送することが可能である。
【００５０】
特に、上述のＭＡＤＩ−Ｘでは、出力部に対してモノラル８出力（ステレオ４出力）毎に出力列を最大モノラル６４出力（ステレオ３２出力）まで拡張することが可能となる。  これにより、物理的に音声処理装置のサイズを変更することなく、出力音声のチャンネルを増加することが可能となる。
【００５１】
また、モノラル８出力（ステレオ４出力）毎にコンバータの種別を割り付けることも可能となる。従って、コンバータの実装数を減らすことも可能となる。
【００５２】
図１０は、ＭＡＤＩ規格下での出力部１ｆでの音声データの送信を、模式的に示している。この図では、１チャンネル〜４チャンネルの４つの音声チャンネルが、ＭＡＤＩ規格の採用により、１本のシリアル線４０によって、音声データ処理装置１００から出力されている様子が示されている。ＭＡＤＩ規格の採用により、４つのチャンネル分のデータを、シリアル線４０によって送ることが可能となる。この場合、出力部１ｆは音声データ処理装置１００の本体側に組み込まれたＭＡＤＩインターフェースと、本体とは別途に設けられたＭＡＤＩユニット３０（ＭＡＤＩ出力部）から構成されることとなる。しかしながら、ＭＡＤＩインターフェースと、ＭＡＤＩユニット３０を必ずしも、各々別ユニットにて構成する必要はなく、一体にて構成することもできる。
【００５３】
図１１は、ＭＡＤＩユニット３０の背面構成の概略を示したものである。ＭＡＤＩユニット３０はシリアル線４０を介して出力部１ｆに接続されている。又は、ＭＡＤＩユニット３０は出力部１ｆの一部を構成しているということもできる。そして、ＭＡＤＩユニット３０は更に図１のＤ／Ｄコンバータ１５、Ｄ／Ａコンバータ２１に接続される。ＭＡＤＩユニット３０の背面には、出力側ポート３０ａが設けられており、この一つ一つがシリアル線４０に接続される。また、入力側ポート３０ｂは、入力側のＤ／Ｄコンバータ７又はＡ／Ｄコンバータ１１と、デジタルスイッチャー１の間に配置され、同じくＭＡＤＩ規格にてデータの送受信を行う際に使用されるものであるが、本発明では必須のものではない。
【００５４】
以上の様に、本発明においては、装置内部における処理対象の音声データが、付加情報のないフォーマットデータ（ＰＣＭ）である。従って、音声データを、ソフトウェアを用いて処理することが可能となる。具体的には、入力音声データをソフトウェア制御により仮想トラックに展開した後、フェーダー制御により仮想トラックを選択し、音声をミキシングすることが可能となる。
【００５５】
このような仮想トラック選択方式では、音声切換制御とフェーダー制御が同時に実現されていると考えられる。従って入力音声を瞬時に（ブランク時間０で）切換えることができる。また、ノイズ対策のために音声切換制御とフェーダー制御のタイミングの整合性を考慮する必要がなくなることとなる。また、入力音声の切換タイミングにバリエーションを持たせることができる。
【００５６】
また、従来技術の音声切換部において使用されていたマトリックススイッチャーが不要のため、装置構成を簡素化するとともに、コストを削減することが可能となる。
【００５７】
更には、ＭＡＤＩ規格の採用により、出力列の構成を設計後でも容易に変更することができる。また、拡張性を考慮した入出力音声系統の設計が容易に実現できるようになり、コンバータの実装数を最小限に抑えることが可能となる。
【００５８】
本発明の音声データ処理装置は、ラジオ放送局、テレビ放送局等の放送局において、デジタル信号制御に使用されるデジタルマスターシステム（ラジオ放送の場合はラジオマスターシステム）に好ましく用いられるが、特にその用途は限定されない。
【００５９】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００６０】
ＭＡＤＩ規格を採用した本発明の音声データ処理装置によれば、簡易かつ安価な構成にて、データ出力の拡張性を確保することが可能となる。
【図面の簡単な説明】
【００６１】
【図１】本発明の音声データ処理装置及び他の機器、設備との接続関係の概要を示すブロック図。
【図２】本発明の音声データ処理装置における音声データの処理手順を示す概念図。
【図３】入力音声データの仮想トラックへの展開の概念図。
【図４】仮想トラックに展開された入力音声データの選択方法を示す概念図。
【図５】デジタルスイッチャーの構成を示すブロック図。
【図６】音声データ割り込み入力時に実施される音声データ割り込み処理の手順を示す処理フロー。
【図７】図６における入力音声データ取得処理の処理手順を示す処理フロー。
【図８】図６における音声データ加工及び合成処理の処理手順を示す処理フロー。
【図９】図６における出力音声データ設定処理の処理手順を示す処理フロー。
【図１０】ＭＡＤＩ規格下での、出力部での音声データの送信を示す模式図。
【図１１】ＭＡＤＩユニット背面の概略図。
【図１２】従来のラジオマスター設備の概念図。
【図１３】従来のラジオマスター設備における音声データの処理手順を示す概念図。
【図１４】従来のラジオマスター設備において使用されるマトリックススイッチャーの概念図。
【符号の説明】
【００６２】
１      デジタルスイッチャー
３      再生出力部
５      音声切替制御部
７      Ｄ／Ｄコンバータ
１１    Ａ／Ｄコンバータ
１５    Ｄ／Ｄコンバータ
２１    Ｄ／Ａコンバータ
３０    ＭＡＤＩユニット
４０    シリアル線
１００  音声データ処理装置
【図１】
2006140909.tif 000003
【図２】
2006140909.tif 000004
【図３】
2006140909.tif 000005
【図４】
2006140909.tif 000006
【図５】
2006140909.tif 000007
【図６】
2006140909.tif 000008
【図７】
2006140909.tif 000009
【図８】
2006140909.tif 000010
【図９】
2006140909.tif 000011
【図１０】
2006140909.tif 000012
【図１１】
2006140909.tif 000013
【図１２】
2006140909.tif 000014
【図１３】
2006140909.tif 000015
【図１４】
2006140909.tif 000016